(57)【要約】【課題】  フレキシブルフラットケーブルを係止することを目的とした部品を必要とせずにフレキシブルフラットケーブルの屈伸と位置決めと固定を可能として信頼性を高めたフラットケーブルの係止構造を提供する。【解決手段】  装置本体の電気回路間を電気的に接続するフラットケーブルを係止するフラットケーブルの係止構造において、折り曲げることで伸展方向を変えたフラットケーブル８を、該フラットケーブル８の厚さ方向で挟持する溝部28を装置本体の筐体と一体的に形成し、前記溝部28は折り曲げた前記フラットケーブル８を伸展方向に沿って異なる平面で挟持するよう屈曲して形成されていることを特徴とする。【選択図】    図１
2005222752.tif 000002
【特許請求の範囲】
【請求項１】
装置本体の電気回路間を電気的に接続するフラットケーブルを係止するフラットケーブルの係止構造において、
折り曲げることで伸展方向を変えたフラットケーブルを、該フラットケーブルの厚さ方向で挟持する溝部を装置本体に一体的に形成し、
前記溝部は折り曲げた前記フラットケーブルを伸展方向に沿って異なる平面で挟持するよう屈曲して形成されていることを特徴とするフラットケーブルの係止構造。
【請求項２】
前記フラットケーブルは装置本体の動作に応じて屈伸する屈伸部分を有し、前記屈曲した溝部の稜線方向と前記屈伸するフラットケーブルの屈伸軸方向が略平行であることを特徴とする請求項１記載のフラットケーブルの係止構造。
【請求項３】
前記溝部に挿入した前記フラットケーブルが該溝部から抜けるのを規制するための規制手段を設けたことを特徴とする請求項１又は請求項２に記載のフラットケーブルの係止構造。
【請求項４】
前記溝部は挿入した前記フラットケーブルを圧入状態で係止するための突起部を有することを特徴とする請求項１乃至請求項３のいずれかに記載のフラットケーブルの係止構造。
【請求項５】
シートを搬送して画像を処理するための画像処理装置において、
装置本体の電気回路間を電気的に接続するためのフラットケーブルを係止する構造として、請求項１乃至請求項４のいずれかに記載のフラットケーブルの係止構造を有することを特徴とする画像処理装置。
【発明の詳細な説明】
【技術分野】
【０００１】
本発明は装置本体の電気回路間を電気的に接続するフレキシブルフラットケーブルを係止するフラットケーブルの係止構造及び該構造を備えた画像処理装置に関する。
【背景技術】
【０００２】
フレキシブルフラットケーブルは、柔軟性を有する不導体皮膜で挟持された一平面内に平行配置した複数本の導電体を有する電気接続線であり、折り曲げや屈伸が可能なことから、ねじり的に配置された電気回路や空間的に移動する電気回路を接続する手段として、従来からさまざまな装置で利用され、その固定方法にはさまざまな形態が提案されている。
【０００３】
たとえば、特開2001−63897号や特開2001−346006号では、往復運動する画像読み取り手段と制御基板とを電気的に接続する手段として用いられている。
【０００４】
上記特開2001−63897号では、図７(a)に示すように、フレキシブルフラットケーブルは平面内のＬ字折り曲げ36を有し、枠部材33により折り返し部35が挟み込まれてフレーム部材に固定されている。
【０００５】
また、特開2001−346006号では、図７(b)に示すように、フレキシブルフラットケーブルの捻り方向を変更する保持手段21を有し、フレキシブルフラットケーブルの屈伸端固定と方向変更を実現している。
【０００６】
また、一般的なフレキシブルフラットケーブルの係止方法として、両面テープなどの接着手段が用いられる場合もある。
【０００７】
【特許文献１】特開２００１−６３８９７号公報
【特許文献２】特開２００１−３４６００６号公報
【発明の開示】
【発明が解決しようとする課題】
【０００８】
しかしながら、上記従来例においては、フレキシブルフラットケーブルを係止することを目的とした部品を必要とした。また、接着手段によりケーブルを接着して固定した場合には、分解の容易性を損なっていた。
【０００９】
その結果、部品コストを上昇させる、組み立て工数を上昇させる、あるいは分解コストを上昇させる、という問題があった。
【００１０】
本発明は上記現状に鑑みてなされたものであり、その目的は、フレキシブルフラットケーブルを係止することを目的とした部品を必要とせずにフレキシブルフラットケーブルの屈伸と位置決めと固定を可能として信頼性を高めたフラットケーブルの係止構造及びこれを備えた画像処理装置を提供するものである。
【課題を解決するための手段】
【００１１】
上記課題を解決するための本発明における代表的な手段は、装置本体の電気回路間を電気的に接続するフラットケーブルを係止するフラットケーブルの係止構造において、折り曲げることで伸展方向を変えたフラットケーブルを、該フラットケーブルの厚さ方向で挟持する溝部を装置本体に一体的に形成し、前記溝部は折り曲げた前記フラットケーブルを伸展方向に沿って異なる平面で挟持するよう屈曲して形成されていることを特徴とする。
【発明の効果】
【００１２】
本発明は折り曲げることで伸展方向を変えたフラットケーブルを、装置本体と一体的に屈曲した溝部によって挟持するようにしたために、フラットケーブルを前記溝部に挿入するだけで簡単に取り付けることができる。また、フラットケーブルを係止するための部材を特に用意する必要がないために部品点数が減少してコストダウンを図ることが可能となる。
【発明を実施するための最良の形態】
【００１３】
次に本発明の一実施形態に係るフラットケーブルの係止構造について、これを用いた画像処理装置を例示した説明する。なお、本実施形態の画像処理装置は、画像形成方式として電子写真記録方式を用い、複写機やプリンタ、ファクシミリ装置としての機能を備えた多機能周辺装置を例示する。
【００１４】
（装置の全体構成）
まず、図２及び図３を参照して本実施形態に係る画像処理装置の全体構成について概略説明する。なお、図２は多機能周辺装置の外観説明図であり、図３は多機能周辺装置の模式断面説明図である。
【００１５】
本実施形態の装置は、コピー機能、ファクシミリ機能、コンピュータ周辺機器としてのプリンタ機能、同じくコンピュータ周辺機器としてのイメージスキャナ機能の４つの機能を有する多機能周辺装置であり、図２及び図３に示すように、記録シート給送部１と、画像記録部２、記録シート排出部３、記録制御部４、原稿読み取り部５、操作部６とを有している。
【００１６】
操作部６は装置本体の上記４つの機能に関して使用者が装置に対して指示を行うものであり、この操作部６は原稿読み取り部５の上部に設けられ、装置本体７に対して図３に示す矢印Ａ方向に回動可能に構成され、原稿読み取り部５のシート原稿Ｄが搬送不良を起こしたとき、容易にジャム処理ができる構成となっている。
【００１７】
そして、この操作部６はフレキシブルフラットケーブル８（図４参照）によって本体制御基板９（図４参照）に接続されている。このフレキシブルフラットケーブル８を介して電力、キーマトリックス信号、ＬＣＤ信号、センサ信号が伝達される。
【００１８】
記録シート給送部１は、図３に示すように、シートカセット10にセットされた記録シートＳを、分離ローラ11と摩擦パッドからなる分離手段によって１枚ずつ分離給送し、その記録シートＳをフィードローラ対12によって画像記録部２へ搬送する。
【００１９】
画像記録部２は他の装置から伝送された画信号、或いは後述する原稿読み取り部５から伝送された画信号、或いは後述するコンピュータ等から出力されるデータに応じて、記録シート給送部１より供給された記録シートＳに画像を記録するものである。
【００２０】
本実施形態における画像形成は電子写真方式を用いており、図示しない感光体ドラム、帯電器、現像器を一体的にカートリッジ化して装置本体に対して着脱可能としたプロセスカートリッジ13と転写ローラ14を有し、感光体ドラムと転写ローラ14のニップ部に搬送された記録シートＳに対して電子写真方式によってトナー像を転写し、転写後の記録シートを定着器15に搬送して熱定着した後、排出ローラ対16によって記録シート排出部３へと排出する。
【００２１】
原稿読み取り部５はシート原稿Ｄに光を照射してその反射光を電気信号に変換し、この信号を所定の画像処理を施した後、他の装置に伝送、又は自己の記録制御部４に伝送するものである。即ち、図３に示すように、原稿積載台17に積載したシート原稿Ｄをプリフィードローラ18及び分離ローラ19によって１枚ずつ分離給送し、搬送ローラ対20，21によって搬送する間に密着型イメージセンサ22によって原稿画像を光学的に読み取り、その情報を光電変換して伝送するとともに、読み取り後の原稿を排出トレイ23に排出する。
【００２２】
（フレキシブルフラットケーブルの係止構造）
次に前記フレキシブルフラットケーブル８の係止構造について、図１、図４乃至図６を説明する。なお、図１はフレキシブルフラットケーブルの係止構造を示す斜視説明図であり、図４は電装系の説明図、図５はフレキシブルフラットケーブルの配置を説明するために外装カバーを外した説明図、図６はフレキシブルフラットケーブルの余裕部の説明図である。
【００２３】
前述した装置各部の電気回路は束線やフレキシブルフラットケーブルによって電気的に接続されている。例えば、図４に示すように、制御基板９は本体側面に設けられ、最上部の操作部６とはフレキシブルフラットケーブル８によって電気的に接続されている。
【００２４】
なお、前記制御基板９は画像処理部９ａ、通信制御部９ｂ、ＣＰＵ９ｃ、ＲＯＭ９ｄ、ＲＡＭ９ｅで構成され、通信制御部９ｂは図示しないネットワーク接続端子、電話線接続端子、周辺機器接続端子（ＵＳＢ、ＩＥＥＥ1394、メモリデバイスなど）を設け、本装置がスタンドアロンとして機能したり、ネットワーク機器やコンピュータ周辺機器として機能することができるようになっている。
【００２５】
フレキシブルフラットケーブル８は、図５及び図６に示すように、原稿読み取り部５の筐体としてのフレーム24（図６参照）に設けた係止部においてその位置が固定され、該係止部から操作部基板27との間では屈伸可能な余裕部８ａが設けられている。前述したように、シート原稿Ｄのジャム解除の際に操作部６を上原稿ガイド25とともに軸26を中心にして回動することで開放するが、このとき前記屈伸余裕部８ａが操作部基板27上のフラットケーブルコネクタ27ａの位置移動を吸収する。
【００２６】
上記フレキシブルフラットケーブル８は折り曲げることで伸展方向を変え、装置内の所定のコネクタ間を接続している。本実施形態のフレキシブルフラットケーブル８は、図１に示すように、ケーブルの平面内でのＬ字形折り返し部８ｂと、平面外方向への曲げ部８ｃで折り曲げられて伸展方向が変えられ、端部の端子部８ｄが操作部基板27上に設けられたコネクタ27ａに挿入される。
【００２７】
フレーム24にはフレキシブルフラットケーブル８を保護するための、エンクロージャとしての隔壁24ａが設けられ、上原稿ガイド25が図６の矢印Ａ方向に開放されてもフレキシブルフラットケーブル８を露出しないように構成されている。
【００２８】
前記フレキシブルフラットケーブル８はフレーム24に形成された溝部28に挿入することによって厚さ方向が挟持され、フレーム24に係止される。この溝部28は、図１に示すように、フレーム24と一体的なＬ字状のリブ29を設けることで、フレーム基部24ｂと平行な間隙部分と、前記隔壁24ａと平行に２〜３mm程度の間隙部分とを有し、折り曲げたフレキシブルフラットケーブル８の伸展方向に沿って屈曲部31を有するＬ字状に形成されている。また、前記溝部28のケーブル挿入方向深さは、フレキシブルフラットケーブル８の幅の少なくとも１／２以上となるように形成され、挿入係止したフレキシブルフラットケーブル８が溝部28によって確実に係止されるようにしている。
【００２９】
更に、リブ29側から１個の突起部30ａ、フレーム基部24ｂ側から２個の突起部30ｂ，30ｃが溝部28へ向かって突出形成されている。これら各突起部30ａ，30ｂ，30ｃの頂部を結ぶ間隙はフレキシブルフラットケーブル８を平面内で折り返した厚み、即ち、折り返し部８ｂの厚みよりも小さくなるように構成されている。
【００３０】
上記溝部28に折り曲げたフレキシブルフラットケーブル８の曲げ部８ｃと、溝部28の屈曲部31とを一致させ、図１の矢印Ｆ方向から挿入すると、前記突起部30ａ，30ｂ，30ｃにより、フレキシブルフラットケーブル８が軽圧入状態で係止されることになる。そして、折り曲げた前記フラットケーブルは伸展方向に沿って異なる２平面で挟持され、フレーム24に係止される。即ち、屈曲部31を有する溝部28は、図１の矢印Ｆ方向とＧ方向の異なる平面に伸展するフレキシブルフラットケーブル８を、その異なる平面に沿って挟持する。
【００３１】
そして、前述したようにフレキシブルフラットケーブル８は上原稿ガイド25の開閉動作とともに屈伸するが、湾曲した余裕部８ａによって開閉動作で張力が生じないようにしている。このとき、本実施形態では溝部28の屈曲部31の軸方向（稜線方向）とフレキシブルフラットケーブル８の湾曲した余裕部８ａの屈伸軸方向（図１の矢印Ｈ方向）とが略平行（真の平行状態を含む）になるように構成している。これにより、フレキシブルフラットケーブル８の余裕部８aの屈伸方向とフレキシブルフラットケーブル８の抜差し方向とが略垂直となりフレキシブルフラットケーブル８の屈伸動作では図１の矢印Ｆ1方向の力が生じない。このため、溝部28に挿入したフレキシブルフラットケーブル８が上原稿ガイド25の開閉動作によって矢印Ｆ1方向に抜けるおそれがない。
【００３２】
また、本実施形態では図１に示すように、筐体となる外装カバー32内側に規制手段としてのリブ32ａを設け、外装カバー32を装置本体７に組み付けたときに、前記リブ32ａがフレキシブルフラットケーブル８を矢印Ｆ方向で係止し、振動や落下でフレキシブルフラットケーブル８が屈曲した溝部28から抜けるのを規制し、信頼性を高めている。また、溝部２８は余裕部８aの屈伸方向と略垂直な面（リブ30a、30cが設けられている面）を有しているために、フレキシブルフラットケーブル8の余裕部8aに確実にたるみをもたせることが可能となり上原稿ガイド25の開閉動作によって端部の端子部８ｄに負荷がかかることを防げる。
【００３３】
本実施形態にあっては、上述のようにフレキシブルフラットケーブル８を係止するに際し、折り曲げることで伸展方向を変えたフラットケーブル８を、装置本体と一体的に屈曲した溝部28によって挟持するようにしたために、フラットケーブル８を前記溝部28に挿入するだけで簡単に取り付けることができる。また、フラットケーブル８を係止するための部材を特に用意する必要がないために部品点数が減少してコストダウンを図ることが可能となるものである。
【００３４】
なお、前述した実施形態ではフレキシブルフラットケーブルの係止構造を用いた装置の例として、多機能周辺装置を例示したが、これは画像形成手段において記録シートに画像を記録するプリンタ等の画像形成装置、あるいは原稿を搬送してその原稿記載情報をイメージセンサによって読み取るスキャナ等の画像読取装置等、種々の画像処理装置に好適に用いることができ、さらには画像処理装置のみならずフレキシブルフラットケーブルを使用する全ての装置に用いると効果的である。
【図面の簡単な説明】
【００３５】
【図１】フレキシブルフラットケーブルの係止構造を示す斜視説明図である。
【図２】多機能周辺装置の外観説明図である。
【図３】多機能周辺装置の模式断面説明図である。
【図４】電装系の説明図である。
【図５】フレキシブルフラットケーブルの配置を説明するために外装カバーを外した説明図である。
【図６】フレキシブルフラットケーブルの余裕部の説明図である。
【図７】従来のフレキシブルフラットケーブルを係止する構成説明図である。
【符号の説明】
【００３６】
Ｄ    …シート原稿
６    …操作部
７    …装置本体
８    …フレキシブルフラットケーブル
８ａ  …余裕部
８ｂ  …折り返し部
８ｃ  …曲げ部
８ｄ  …端子部
９    …制御基板
24    …フレーム
24ａ  …隔壁
24ｂ  …フレーム基部
25    …上原稿ガイド
26    …軸
27    …操作部基板
27ａ  …フラットケーブルコネクタ
28    …溝部
29    …リブ
30ａ，30ｂ，30ｃ …突起部
31    …屈曲部
32    …外装カバー
32ａ  …リブ
【図１】
2005222752.tif 000003
【図２】
2005222752.tif 000004
【図３】
2005222752.tif 000005
【図４】
2005222752.tif 000006
【図５】
2005222752.tif 000007
【図６】
2005222752.tif 000008
【図７】
2005222752.tif 000009